(57)【要約】【課題】小動物が乗るプレートの面積に関わらず、プレートの全体的な温度をできる限り均一になるようにすると共に、全ての熱電変換部を効率よく吸熱又は発熱させ、省電力にすること。【解決手段】小動物用冷暖房装置１は、プレート部１１と、複数の排気口１３と、吸気口１２と、を備える筐体１０と、電流の供給を受けて放熱又は吸熱することによりプレート部１１を加熱又は冷却すると共に、ファン３０と排気口１３との間に各々配置され、各々がプレート部１１と接触する複数の熱電変換部２０と、吸気口１２より吸気した外部の空気を排気口１３から外部に排気するファン３０と、を有する。【選択図】図４
2016154497.tif 000002
【特許請求の範囲】
【請求項１】
小動物を暖房又は冷房する小動物用冷暖房装置であって、
上面を覆うと共に前記小動物が乗ることが可能な面積を有するプレート部と、排気口と、吸気口と、を備える筐体と、
前記筐体に収納されると共に、電流の供給を受けて放熱又は吸熱することにより前記プレート部を加熱又は冷却する熱電変換部と、
前記筐体に収納され、外部より前記吸気口を介して前記筐体の内部に吸気した空気を前記排気口を介して外部に排気するファンと、
を有し、
前記筐体は、
複数の前記排気口を備え、
前記熱電変換部は、
複数設けられると共に前記ファンと前記排気口との間に各々配置され、各々が前記プレート部と接続する、
ことを特徴とする小動物用冷暖房装置。
【請求項２】
前記熱電変換部は、
前記電流の流れる向きに応じて吸熱又は放熱する第１の吸放熱部と、ペルチェ効果により前記第１の吸放熱部が吸熱する際に放熱すると共に前記第１の吸放熱部が放熱する際に吸熱する第２の吸放熱部と、を備え、
前記第１の吸放熱部は、
前記プレート部と接続し、
前記第２の吸放熱部は、
前記第１の吸放熱部よりも前記プレート部から離れた位置に配置される、
ことを特徴とする請求項１記載の小動物用冷暖房装置。
【請求項３】
前記プレート部の温度を検出する温度センサーと、
前記温度センサーで検出した温度に基づいて、前記熱電変換部の吸熱量又は放熱量を制御すると共に、前記温度センサーで検出した温度が上限値より高くならないように前記放熱量を抑制するコントローラと、
を更に有することを特徴とする請求項１又は請求項２記載の小動物用冷暖房装置。
【発明の詳細な説明】
【技術分野】
【０００１】
本発明は、小動物を暖房又は冷房する小動物用冷暖房装置に関する。
【背景技術】
【０００２】
従来、犬や猫等の小動物を暖房又は冷房する小動物用冷暖房装置が知られている。かかる小動物用冷暖房装置としては、従来、所定の設定温度になるように自動的に温度制御を行うものが存在している。
【０００３】
特許文献１は、所定の設定温度になるように自動的に温度制御を行う小動物用冷暖房装置に関し、小動物が乗れるベッドと、ベッドを支えるケース本体と、ケース本体に配設された加熱冷却プレートと、加熱冷却プレートに固定された電子冷却部材と、電子冷却部材に固定された放熱板と、大気温度を検知する大気検知センサーと、大気検知センサーで検知した大気温度に基づいて電子冷却部材を制御する制御手段と、を有する構成を開示する。
【先行技術文献】
【特許文献】
【０００４】
【特許文献１】特開平１０−２０１３８８号公報
【発明の概要】
【発明が解決しようとする課題】
【０００５】
しかしながら、特許文献１においては、ケース本体の中央に設けられた単一の電子冷却部材により加熱冷却プレートを加熱又は冷却するため、ベッドの中央部分とベッドの隅とで温度差を生じてしまい、小動物に違和感を与えかねないという課題を有する。特に、多少大きめの小動物が乗れるようにベッドの面積を大きくした場合に、上記の課題が顕著になる。
【０００６】
また、特許文献１においては、電子冷却部材と吸気口との間にファンを配置する構成であるため、外部から吸気口を介して筐体内部に吸気した空気を、電子冷却部材に対して十分に送り込むことができないという課題を有する。
【０００７】
本発明の目的は、小動物が乗るプレート部の面積に関わらず、プレート部の全体的な温度をできる限り均一になるようにすることができると共に、全ての熱電変換部を効率よく吸熱又は発熱させることができ、省電力にすることができる小動物用冷暖房装置を提供することである。
【課題を解決するための手段】
【０００８】
本発明に係る小動物用冷暖房装置は、小動物を暖房又は冷房する小動物用冷暖房装置であって、上面を覆うと共に前記小動物が乗ることが可能な面積を有するプレート部と、排気口と、吸気口と、を備える筐体と、前記筐体に収納されると共に、電流の供給を受けて放熱又は吸熱することにより前記プレート部を加熱又は冷却する熱電変換部と、前記筐体に収納され、外部より前記吸気口を介して前記筐体の内部に吸気した空気を前記排気口を介して外部に排気するファンと、を有し、前記筐体は、複数の前記排気口を備え、前記熱電変換部は、複数設けられると共に前記ファンと前記排気口との間に各々配置され、各々が前記プレート部と接続する。
【０００９】
複数の熱電変換部が筐体のプレート部に接続することにより、小動物が乗るプレート部
の面積に関わらず、プレート部の全体を均一に加熱又は冷却する。熱電変換部でプレート部を冷却又は加熱する際に、ファンにより外部から吸気口を介して吸気した空気を、複数の熱電変換部の各々及び複数の排気口の各々を介して外部に排気することにより、プレート部を冷却する際に複数の熱電変換部で生じた熱又はプレート部を加熱する際に複数の熱電変換部で生じた冷熱が各熱電変換部から逃げ易いようにして、熱電変換部におけるプレート部を冷却する際の吸熱現象又はプレート部を加熱する際の発熱現象を促進する。
【発明の効果】
【００１０】
本発明によれば、小動物が乗るプレート部の面積に関わらず、プレート部の全体的な温度をできる限り均一になるようにすることができると共に、全ての熱電変換部を効率よく吸熱又は発熱させることができ、省電力にすることができる。
【図面の簡単な説明】
【００１１】
【図１】本発明の実施形態に係る小動物用冷暖房装置の斜視図である。
【図２】本発明の実施形態に係る小動物用冷暖房装置の平面図である。
【図３】本発明の実施形態に係る小動物用冷暖房装置の側面図である。
【図４】図２のＡ−Ａ断面図である。
【図５】本発明の実施形態における熱電変換部の断面図である。
【発明を実施するための形態】
【００１２】
以下、図面を適宜参照して、本発明の実施形態に係る小動物用冷暖房装置につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１３】
＜小動物用冷暖房装置の構成＞
本発明の実施形態に係る小動物用冷暖房装置１の構成につき、図１から図４を参照しながら、以下に詳細に説明する。
【００１４】
小動物用冷暖房装置１は、筐体１０と、熱電変換部２０と、ファン３０と、サーモモジュール４０と、電源コード５０と、コントローラ６０と、温度センサー７０と、を有している。
【００１５】
筐体１０は、絶縁性を有する材料により形成されている。筐体１０の底面には、上方に丘状に突出する突出部９が設けられている。筐体１０は、上面を覆うと共に小動物が乗ることが可能な面積を有するプレート部１１と、突出部９に設けられた板厚方向に貫通する吸気口１２と、側面に設けられた板厚方向に貫通する排気口１３と、脚部１９と、を備えている。プレート部１１は、熱伝導性の良好な材料により形成されており、典型的にはスチール製である。
【００１６】
筐体１０の側面には、表示部１４と、電源ランプ１５と、温度調整ボタン１６と、温度調整ボタン１７と、運転ランプ１８と、が設けられている。
【００１７】
表示部１４は、設定温度を表示可能である。表示部１４は、典型的にはＬＣＤである。
【００１８】
電源ランプ１５は、電源ＯＮの際に点灯し、電源ＯＦＦの際に消灯する。
【００１９】
温度調整ボタン１６は、温度を下げる際に操作される。温度調整ボタン１６は、典型的には、１℃毎に設定温度を下げることが可能であり、２０℃より低い温度を設定できないようになっている。
【００２０】
温度調整ボタン１７は、温度を上げる際に操作される。温度調整ボタン１７は、典型的には、１℃毎に設定温度を上げることが可能であり、３５℃より高い温度を設定できないようになっている。
【００２１】
運転ランプ１８は、運転中の際に点灯し、運転停止中の際に消灯する。
【００２２】
脚部１９は、筐体の四隅において下方に突出しており、下端に滑り止めが設けられている。
【００２３】
熱電変換部２０は、筐体１０に収納されている。熱電変換部２０は、筐体１０の側面に対向し、突出部９よりも上方に設けられていると共に、左右方向において筐体１０の側面と突出部９との間に設けられている。熱電変換部２０は、図１から図４において図示を省略する電源から電源コード５０を介して電流の供給を受けて放熱又は吸熱することにより、サーモモジュール４０を介してプレート部１１を加熱又は冷却する。熱電変換部２０は、典型的には２つ設ける。なお、熱電変換部２０の構成の詳細については後述する。
【００２４】
ファン３０は、筐体１０に収納され、突出部９の上方に設けられている。ファン３０は、吸気口１２より吸気した外部の空気を排気口１３から排気する。
【００２５】
サーモモジュール４０は、筐体１０のプレート部１１に密着し、プレート部１１と熱電変換部２０とを接続している。サーモモジュール４０の上面は、プレート部１１の上面よりも下方に位置するように設けられている。サーモモジュール４０とプレート部１１との間には、筐体１０の内部を防水するためのパッキン８０が設けられている（図４参照）。パッキン８０は、典型的にはシリコンにより形成されている。
【００２６】
電源コード５０は、熱電変換部２０と図示しない電源とを接続する。電源コード５０が接続する電源は、典型的には家庭用電源コンセントである。
【００２７】
コントローラ６０は、図示しない基板に実装されて筐体１０の内部に収納されている。コントローラ６０は、表示部１４、電源ランプ１５、温度調整ボタン１６、温度調整ボタン１７及び運転ランプ１８と接続し、表示部１４、電源ランプ１５、温度調整ボタン１６、温度調整ボタン１７及び運転ランプ１８の動作を制御する。コントローラ６０は、温度センサー７０と接続している。コントローラ６０は、温度調整ボタン１６又は温度調整ボタン１７により設定された温度と、温度センサー７０で検出した温度と、を比較し、比較結果に応じて、電源から熱電変換部２０に電流を供給する状態と、電源から熱電変換部２０に対する電流の供給を遮断した状態と、を切り替える制御を行うことにより、又は、電源から熱電変換部２０に供給する電流の流れる方向を変化させることにより、温度調整ボタン１６又は温度調整ボタン１７により設定された温度と、温度センサー７０で検出した温度と、が一致するように熱電変換部２０による吸熱量又は放熱量を調整する。コントローラ６０は、温度センサー７０で検出した温度が上限値に達した場合に、電源から熱電変換部２０に供給される電流を遮断して、熱電変換部２０によりプレート部１１を加熱する際の放熱量を抑制する。
【００２８】
温度センサー７０は、プレート部１１の温度を検出し、温度の検出値をコントローラ６０に出力する。
【００２９】
＜熱電変換部の構成＞
本発明の実施形態における熱電変換部２０の構成につき、図５を参照しながら、以下に詳細に説明する。図５において、図５（ａ）はプレート部１１を加熱する際の熱電変換部
２０に対する電流の流れを示すものであり、図５（ｂ）はプレート部１１を冷却する際の熱電変換部２０に対する電流の流れを示すものである。
【００３０】
熱電変換部２０は、第１の吸放熱部２１と、第２の吸放熱部２２と、ヒートシンク部２３と、Ｐ型半導体２４と、Ｎ型半導体２５と、接続部２６と、を備えている。
【００３１】
第１の吸放熱部２１は、金属板から構成され、接続部２６に接続している。第１の吸放熱部２１は、接続部２６を介してサーモモジュール４０に接続している。第１の吸放熱部２１は、電流の流れる向きに応じて吸熱又は放熱する。
【００３２】
第２の吸放熱部２２は、金属板から構成され、ヒートシンク部２３に接続している。第２の吸放熱部２２は、第１の吸放熱部２１よりも下方に配置されることにより、第１の吸放熱部２１よりもプレート部１１から離れた位置に設けられている。第２の吸放熱部２２は、コントローラ６０を介して電源２９に接続されている。第２の吸放熱部２２は、ペルチェ効果により第１の吸放熱部２１が吸熱する際に放熱すると共に第１の吸放熱部２１が放熱する際に吸熱する。電源２９は、典型的にはＡＣ１００Ｖの家庭用電源である。
【００３３】
ヒートシンク部２３は、第２の吸放熱部２２に接続され、第２の吸放熱部２２の下方に設けられている。ヒートシンク部２３は、ファン３０により外部から吸気口１２を介して吸気した空気を、排気口１３を介して外部に排気する際における、空気の流路（図４に矢印で示す流路）に位置する。
【００３４】
Ｐ型半導体２４は、第１の吸放熱部２１と第２の吸放熱部２２とを接続している。
【００３５】
Ｎ型半導体２５は、第１の吸放熱部２１と第２の吸放熱部２２とを接続している。
【００３６】
接続部２６は、熱伝導性の良好な金属材料により形成されており、サーモモジュール４０に接触して、第１の吸放熱部２１とサーモモジュール４０とを接続している。
【００３７】
＜小型動物用冷暖房装置の動作＞
本発明の実施形態に係る小動物用冷暖房装置１の動作につき、以下に詳細に説明する。
【００３８】
まず、電源コード５０が電源２９に接続される。
【００３９】
次に、小動物用冷暖房装置１の図示しない電源スイッチがＯＮされることにより、コントローラ６０は、表示部１４、電源ランプ１５、温度調整ボタン１６及び温度調整ボタン１７を点灯する制御を行う。
【００４０】
次に、コントローラ６０は、温度調整ボタン１６又は温度調整ボタン１７が１回押圧されたことを検出し、表示部１４を点滅する制御を行う。
【００４１】
次に、コントローラ６０は、温度調整ボタン１６又は温度調整ボタン１７が操作された際に、温度調整ボタン１６又は温度調整ボタン１７により設定された所定の設定温度を検出する。
【００４２】
次に、コントローラ６０は、運転ランプ１８を点灯する制御を行い、サーモモジュール４０を冷却する冷却運転又はサーモモジュール４０を加熱する加熱運転を開始する。
【００４３】
また、ファン３０が動作を開始し、吸気口１２より吸気した外部の空気を排気口１３から排気する。
【００４４】
次に、コントローラ６０は、温度センサー７０で検出する温度が温度調整ボタン１６又は温度調整ボタン１７により設定された設定温度になるように、電源２９から熱電変換部２０に電流を供給する状態と、電源２９から熱電変換部２０に対する電流の供給を遮断した状態と、を切り替える制御、又は、電源２９から熱電変換部２０に供給する電流の流れる方向を変化させる制御を行う。
【００４５】
具体的には、プレート部１１及びサーモモジュール４０を加熱する場合、コントローラ６０は、電源２９から熱電変換部２０の第２の吸放熱部２２に対して、図５（ａ）において矢印Ｓ１の方向に電流を流す。
【００４６】
これにより、第１の吸放熱部２１では、Ｐ型半導体２４からＮ型半導体２５に電流が流れて発熱現象を生じ、第２の吸放熱部２２では、Ｎ型半導体２５からＰ型半導体２４に電流が流れてペルチェ効果により吸熱現象を生じる。そして、第１の吸放熱部２１はサーモモジュール４０を加熱し、サーモモジュール４０はプレート部１１を加熱すると共に、第２の吸放熱部２２における吸熱現象により生じた冷熱はヒートシンク部２３に伝わる。
【００４７】
第２の吸放熱部２２における吸熱現象によりヒートシンク部２３に伝えられた冷熱は、ファン３０により外部から吸気口１２を介して吸気した空気を、ヒートシンク部２３及び排気口１３を介して外部に排気する際に、筐体１０の内部空間及び外部に逃がされる。従って、熱電変換部２０は、第１の吸放熱部２１における発熱現象を促進して、サーモモジュール４０及びプレート部１１を効率よく加熱することができる。
【００４８】
一方、プレート部１１及びサーモモジュール４０を冷却する場合、コントローラ６０は、電源２９から熱電変換部２０の第２の吸放熱部２２に対して、図５（ｂ）において矢印Ｓ２の方向に電流を流す。
【００４９】
これにより、第１の吸放熱部２１では、Ｎ型半導体２５からＰ型半導体２４に電流が流れて吸熱現象を生じ、第２の吸放熱部２２では、Ｐ型半導体２４からＮ型半導体２５に電流が流れてペルチェ効果により発熱現象を生じる。そして、第１の吸放熱部２１はサーモモジュール４０を冷却し、サーモモジュール４０はプレート部１１を冷却すると共に、第２の吸放熱部２２における発熱現象により生じた熱はヒートシンク部２３に伝わる。
【００５０】
第２の吸放熱部２２における発熱現象によりヒートシンク部２３に伝えられた熱は、ファン３０により外部から吸気口１２を介して吸気した空気を、ヒートシンク部２３及び排気口１３を介して外部に排気する際に、筐体１０の内部空間及び外部に逃がされる。従って、熱電変換部２０は、第１の吸放熱部２１における吸熱現象を促進して、サーモモジュール４０及びプレート部１１を効率よく冷却することができる。
【００５１】
特に、ヒートシンク部２３の熱は、ヒートシンク部２３よりも上方に位置する第２の吸放熱部２２に逃げ易い。従って、ファン３０により熱電変換部２０に空気を送り込んで、ヒートシンク部２３の熱をヒートシンク部２３から筐体１０の内部空間に逃げ易いようにすることにより、第１の吸放熱部２１における吸熱現象をより促進することができる。また、ヒートシンク部２３により温められた筐体１０の内部の空気を、ファン３０により排気口１３を介して外部に排気して筐体１０の内部空間の温度を低下させることができるため、第２の吸放熱部２２における発熱現象によりヒートシンク部２３に伝えられた熱を、筐体１０の内部空間により逃がし易くすることができる。
【００５２】
温度センサー７０で検出した温度が設定温度に達した場合、コントローラ６０は、電源２９と熱電変換部２０との接続を切断して、上記のプレート部１１及びサーモモジュール
４０を加熱する動作、又は、プレート部１１及びサーモモジュール４０を冷却する動作を停止させる。また、コントローラ６０は、運転ランプ１８を消灯する制御を行う。
【００５３】
動作停止後において、温度センサー７０で検出した温度が設定温度より上昇又は下降した場合、コントローラ６０は、電源２９と熱電変換部２０とを接続すると共に、図５（ａ）において矢印で示す方向又は図５（ｂ）において矢印で示す方向に電流を流して、上記のプレート部１１及びサーモモジュール４０を加熱する動作、又は、プレート部１１及びサーモモジュール４０を冷却する動作を再開させる。コントローラ６０は、典型的には、設定温度と温度センサー７０で検出した温度との差が１℃以上になった際に、上記の動作を再開させる。
【００５４】
コントローラ６０は、温度センサー７０の故障等により温度センサー７０で検出した温度が上昇して上限値に達した場合、電源２９と熱電変換部２０との接続を切断して、プレート部１１を加熱する際の熱電変換部２０による放熱量を抑制する。この際の上限値は、典型的には４５℃である。これにより、上記のプレート部１１及びサーモモジュール４０を加熱する動作は停止し、プレート部１１に乗っている小動物が火傷等を負うことを防ぐことができる。
【００５５】
コントローラ６０は、温度センサー７０で検出した温度が上限値未満の場合、電源スイッチがＯＦＦされない限り、設定温度に達するまで電源２９と熱電変換部２０との接続を切断しない。この際の上限値は、典型的には４５℃である。これにより、冬季の冷え込んだ環境において、上記のプレート部１１及びサーモモジュール４０を加熱する動作を、意図していないのに停止してしまうことを防ぐことができる。
【００５６】
小動物用冷暖房装置１は、図示しない電源スイッチがＯＦＦされることにより、上記のサーモモジュール４０を冷却する冷却運転又はサーモモジュール４０を加熱する加熱運転を停止する。
【００５７】
小動物用冷暖房装置１で冷房又は暖房する小動物は、典型的には室内若しくは室外で飼育される犬若しくは猫等である。
【００５８】
プレート部１１に小動物を乗せると、プレート部１１における小動物との接触部分から小動物に対して、プレート部１１を冷却又は加熱する温度が伝わり、小動物の体感温度として快適な温度にすることができる。
【００５９】
このように、本実施形態によれば、筐体１０は、複数の排気口１３を備え、熱電変換部２０は、複数設けられると共にファン３０と排気口１３との間に各々配置され、各々がプレート部１１と接触することにより、小動物が乗るプレートの面積に関わらず、プレートの全体的な温度をできる限り均一になるようにすることができると共に、全ての熱電変換部を効率よく吸熱又は発熱させることができ、省電力にすることができる。
【００６０】
また、本実施形態によれば、第１の吸放熱部２１は、プレート部１１と接続し、第２の吸放熱部２２は、第１の吸放熱部２１よりもプレート部１１から離れた位置に配置されることにより、ファン３０から熱電変換部２０に対して送風した空気で、第２の吸放熱部２２における吸熱現象によりヒートシンク部２３に伝えられた冷熱、又は、第２の吸放熱部２２における発熱現象によりヒートシンク部２３に伝えられた熱を、効率よく筐体１０の内部空間に逃がすことができる。
【００６１】
また、本実施形態によれば、筐体１０の排気口１３を設けた側面に熱電変換部２０を対向させ、突出部９よりも上方に熱電変換部２０を設けると共に、筐体１０の側面と、吸気
口１２を設けた突出部９と、の間に熱電変換部２０を設けることにより、吸気口１２から排気口１３に流れる空気の流路に熱電変換部２０を配置することができ、ファン３０で吸気口１２から吸い込んだ外部の空気のうち、熱電変換部２０に向けて送風する空気の量を多くすることができる。従って、第２の吸放熱部２２における吸熱現象によりヒートシンク部２３に伝えられた冷熱、又は、第２の吸放熱部２２における発熱現象によりヒートシンク部２３に伝えられた熱を、効率よく筐体１０の内部空間に逃がすことができる。
【００６２】
また、本実施形態によれば、吸気口１２を有する突出部９の上方にファン３０を設けることにより、ファン３０と吸気口１２との距離を近づけることができるので、ファン３０により吸気口１２から筐体１０の内部に効率よく空気を吸気することができる。
【００６３】
また、本実施形態によれば、サーモモジュール４０の上面がプレート部１１の上面よりも下方に位置するようにサーモモジュール４０を設けることにより、プレート部１１に乗った小動物が直接又は敷物等を介してサーモモジュール４０に触れて火傷する等の危険性を回避することができる。
【００６４】
また、本実施形態によれば、熱電変換部２０とプレート部１１とを、熱電変換部２０とは別体であるサーモモジュール４０により接続することにより、熱電変換部２０の形状又は大きさ等に関わらず、同一のプレート部１１を使用することができる。従って、熱電変換部２０が故障した場合、又は熱電変換部２０の発熱能力若しくは吸熱能力を変更したい場合等において、熱電変換部２０のみを交換すればよいので、小動物用冷暖房装置１の修理、又は、小動物用冷暖房装置１の発熱能力若しくは吸熱能力の変更を安価に行うことができる。
【００６５】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００６６】
具体的には、上記実施形態において、熱電変換部を２つ設けたが、プレート部１１の大きさに応じて熱電変換部を３つ以上設けてもよい。
【００６７】
また、上記実施形態において、小動物用冷暖房装置１は、犬又は猫を冷房又は暖房するために用いるようにしたが、犬及び猫以外の爬虫類等の小動物を冷房又は暖房するために用いてもよい。
【００６８】
また、上記実施形態において、小動物用冷暖房装置１は、図示しない電源スイッチがＯＦＦされた際に、電源スイッチがＯＦＦされるまでに設定されていた設定温度を示す設定温度情報をフラッシュメモリ等の不揮発性メモリに記憶しておいて、再び電源スイッチがＯＮされた際に、コントローラ６０が不揮発性メモリに記憶しておいた設定温度情報を読み出して、読み出した設定温度情報の設定温度になるように動作してもよい。
【００６９】
また、上記実施形態において、家庭用電源コンセントから熱電変換部２０に電流が供給されるようにしたが、バッテリ又は太陽光発電機等の家庭用電源コンセント以外の電源から熱電変換部２０に電流が供給されるようにしてもよい。
【００７０】
また、上記実施形態において、熱電変換部２０にヒートシンク部２３を設けたが、熱電変換部２０にヒートシンク部２３を設けずに、ファン３０により外部から吸気口１２を介して吸気した空気を、第２の吸放熱部２２及び排気口１３を介して外部に排気するようにしてもよい。
【産業上の利用可能性】
【００７１】
本発明に係る小動物用冷暖房装置は、小動物を暖房又は冷房するのに好適である。
【符号の説明】
【００７２】
１  小動物用冷暖房装置
９  突出部
１０  筐体
１１  プレート部
１２  吸気口
１３  排気口
１４  表示部
１５  電源ランプ
１６  温度調整ボタン
１７  温度調整ボタン
１８  運転ランプ
２０  熱電変換部
２１  第１の吸放熱部
２２  第２の吸放熱部
２３  ヒートシンク部
２４  Ｐ型半導体
２５  Ｎ型半導体
２６  接続部
２９  電源
３０  ファン
４０  サーモモジュール
５０  電源コード
６０  コントローラ
７０  温度センサー
８０  パッキン
【図１】
2016154497.tif 000003
【図２】
2016154497.tif 000004
【図３】
2016154497.tif 000005
【図４】
2016154497.tif 000006
【図５】
2016154497.tif 000007